(57)【要約】履物用の滑り止め受部（１００）。この滑り止め受部は、フランジによって囲まれた、滑り止め係合構造体（１１０）を備える。フランジ（１２０）は、この滑り止め係合構造体の軸（１４０）に対して垂直な面に対して傾斜している部分を備える。この受部は、靴の表底に嵌められる。このフランジの傾斜した部分に隣接する、表底材料は、これらの滑り止めがこの受部に挿入されるかまたはこの受部から取り外される場合に、この受部が回転することに抵抗する。
2008505719.tif 000002
【特許請求の範囲】
【請求項１】
滑り止め受部であって、以下：
ａ．滑り止め係合構造体であって、該構造体は、該受部への挿入または該受部からの取り外しのために該滑り止めが回転する軸によって特徴付けられている、滑り止め係合構造体；
ｂ．該滑り止め係合構造体を囲む、靴取り付け構造体であって、該靴取り付け構造体は、該靴の表底に取り付けるためのフランジを備え、該フランジは、第一の部分を備え、該第一の部分は、該滑り止め係合構造体の軸に対して垂直な面に対して実質的に傾斜している、靴取り付け構造体、
を備える、受部。
【請求項２】
前記フランジが、前記面に対して実質的に傾斜している複数の部分を備える、請求項１に記載の受部。
【請求項３】
前記フランジが、段階移行部を備える部分を備える、請求項１に記載の受部。
【請求項４】
前記フランジの外周部が、円形の屈曲部を備える、請求項１に記載の受部。
【請求項５】
前記フランジの外周部が、円形ではない、請求項１に記載の受部。
【請求項６】
前記第一の部分の、前記面に対する傾斜が、５°を超える、請求項１に記載の受部。
【請求項７】
前記第一の部分の、前記面に対する傾斜が、１０°を超える、請求項１に記載の受部。
【請求項８】
前記第一の部分の、前記面に対する傾斜が、１５°を超える、請求項１に記載の受部。
【請求項９】
前記第一の部分の、前記面に対する傾斜が、２０°を超える、請求項１に記載の受部。
【請求項１０】
第二の部分をさらに備え、該第二の部分は、前記面に対して実質的に傾斜しており、該第二の部分の傾斜の少なくとも１つの成分は、前記第一の部分の傾斜の対応する成分と符号が逆である、請求項１に記載の受部。
【請求項１１】
前記第一の部分の、前記面に対する傾斜が、５°を超え、そして前記第二の部分の、該面に対する傾斜が、５°を超える、請求項１０に記載の受部。
【請求項１２】
前記第一の部分の、前記面に対する傾斜が、１０°を超え、そして前記第二の部分の、該面に対する傾斜が、１０°を超える、請求項１０に記載の受部。
【請求項１３】
前記第一の部分の、前記面に対する傾斜が、１５°を超え、そして前記第二の部分の、該面に対する傾斜が、１５°を超える、請求項１０に記載の受部。
【請求項１４】
前記第一の部分の、前記面に対する傾斜が、２０°を超え、そして前記第二の部分の、該面に対する傾斜が、２０°を超える、請求項１０に記載の受部。
【請求項１５】
靴の表底アセンブリであって、以下：
ａ．表底；
ｂ．受部であって、以下：
ｉ  滑り止め係合構造体であって、該構造体は、該受部への挿入または該受部からの取り外しのために滑り止めが回転する軸によって特徴付けられる、滑り止め係合構造体；および
ｉｉ  該滑り止め係合構造体を囲む靴取り付け構造体であって、該靴取り付け構造体は、該靴の表底への取り付けのためのフランジを備え、該フランジは、第一の部分を備え、該第一の部分は、該滑り止め係合構造体の軸に対して垂直な面に対して、実質的に傾斜している、靴取り付け構造体、
を備える、受部、
を備える、アセンブリ。
【請求項１６】
前記フランジが、前記面に対して実質的に傾斜した複数の部分を備える、請求項１５に記載のアセンブリ。
【請求項１７】
前記フランジが、段階移行部を備える部分を備える、請求項１６に記載のアセンブリ。
【請求項１８】
前記フランジの外周部が、円形の屈曲部を備える、請求項１５に記載のアセンブリ。
【請求項１９】
前記フランジの外周部が、円形ではない、請求項１５に記載のアセンブリ。
【請求項２０】
前記第一の部分の、前記面に対する傾斜が、５°を超える、請求項１５に記載のアセンブリ。
【請求項２１】
前記第一の部分の、前記面に対する傾斜が、１０°を超える、請求項１５に記載のアセンブリ。
【請求項２２】
前記第一の部分の、前記面に対する傾斜が、１５°を超える、請求項１５に記載のアセンブリ。
【請求項２３】
前記第一の部分の、前記面に対する傾斜が、２０°を超える、請求項１５に記載のアセンブリ。
【請求項２４】
第二の部分をさらに備え、該第二の部分は、前記面に対して実質的に傾斜しており、該第二の部分の傾斜の少なくとも１つの成分は、前記第一の部分の傾斜の対応する成分と符号が逆である、請求項１５に記載のアセンブリ。
【請求項２５】
前記第一の部分の、前記面に対する傾斜が、５°を超え、そして前記第二の部分の、該面に対する傾斜が、５°を超える、請求項２４に記載のアセンブリ。
【請求項２６】
前記第一の部分の、前記面に対する傾斜が、１０°を超え、そして前記第二の部分の、該面に対する傾斜が、１０°を超える、請求項２４に記載のアセンブリ。
【請求項２７】
前記第一の部分の、前記面に対する傾斜が、１５°を超え、そして前記第二の部分の、該面に対する傾斜が、１５°を超える、請求項２４に記載のアセンブリ。
【請求項２８】
前記第一の部分の、前記面に対する傾斜が、２０°を超え、そして前記第二の部分の、該面に対する傾斜が、２０°を超える、請求項２４に記載のアセンブリ。
【発明の詳細な説明】
【技術分野】
【０００１】
本発明は、履物（特に、運動靴）の底部に設置される静止摩擦滑り止め受部に関する。
【背景技術】
【０００２】
履物用の従来の静止摩擦道具は、靴の表底に取り付けられた、多数の個々の静止摩擦要素（例えば、滑り止め）を使用する。例えば、代表的なゴルフシューズは、７個の滑り止めを備え、これらの滑り止めは、この履物の底部の嵌合した受容受部にこの滑り止めを螺合させることによって、この靴に個々に取り付けられる。各静止摩擦要素を取り付けるために必要とされる回転を減少させることによって、静止摩擦要素を履物に取り付けるため、および履物から取り外すために必要とされる努力を減少させる進歩が、近年なされている。例えば、特許文献１は、迅速に解放されるＱ−ＬＯＫＴＭ静止摩擦要素コネクタを記載する。受部に挿入される場合、Ｑ−ＬＯＫＴＭコネクタは、この滑り止めを、３分の１回転だけ回転させることによって、表底にしっかりと取り付けられ得る。
【０００３】
滑り止め受部は、代表的に、履物の表底に嵌められる。滑り止め設置装置が、この滑り止めがこの受部に完全に挿入された後にこの滑り止めを回転させ続ける場合、この受部は、この表底に対して回転し得る。この回転は、この靴を使用不可能にし得る。なぜなら、この靴が着用され、そして種々のトルクが、地面の接触によってこの滑り止めに適用される場合に、この滑り止めは回転し得るからである。さらに、この滑り止めは、受部から容易には取り外せない。従って、滑り止めが設置される場合の表底内での回転、または使用の間に地面の接触によって外れることもしくは回転に対して優れた抵抗を提供する、滑り止め受部が必要とされる。
【特許文献１】米国特許第５，７６８，８０９号明細書
【発明の開示】
【課題を解決するための手段】
【０００４】
（発明の要旨）
本発明の特定の実施形態において、靴の表底に設置される場合に回転に抵抗する滑り止め受部が、提供される。このような回転は、滑り止めが受部に挿入される場合、または受部から取り外される場合に、生じ得る。この受部は、滑り止めに係合するための構造体を備える。この係合は、この滑り止めをこの構造体に挿入し、そしてこの滑り止めをこの構造体の軸の周りで回転させることによって、行われる。この受部は、この滑り止め係合構造体に接続された、フランジまたはフランジの群を備える。このフランジは、この滑り止め係合構造体の軸に対して垂直な面に対して、実質的に傾斜している部分を備える。回転される場合、このフランジの傾斜した部分は、隣接する表底材料を押し付け、この回転に抵抗する。このフランジの傾斜は、本発明の特定の実施形態における少なくとも約５°から、本発明の他の実施形態における少なくとも約２０°までの範囲であり得る。
【０００５】
本発明の他の実施形態において、この受部のフランジは、波形を備え得る。すなわち、滑り止め係合構造体の軸に対して垂直な面に対するこのフランジの傾斜が、このフランジの少なくとも２つの部分の間で、この傾斜の少なくとも１つの成分の符号を変化させる。
【０００６】
本発明の特定の実施形態において、受部のフランジは、靴の表底内での回転にさらに抵抗するために、円形ではない外周部を有し得る。
【０００７】
本発明の上記特徴は、添付の図面を参照して以下の詳細な説明を参照することによって、より容易に理解される。
【発明を実施するための最良の形態】
【０００８】
定義。本明細書および添付の特許請求の範囲において使用される場合、以下の用語は、その文脈が他のことを要求しない限り、示される意味を有するべきである。
【０００９】
「靴」とは、足のためのあらゆる外側の覆いを意味し、運動靴、サンダル、長靴、および上靴が挙げられるが、これらに限定されない。
【００１０】
本発明の特定の実施形態において、靴の表底に設置される場合に回転に抵抗する、滑り止め受部が提供される。この受部は、滑り止めを係合するための構造体を備える。この係合は、この滑り止めをこの構造体に挿入し、そしてこの滑り止めを、この構造体の軸の周りで回転させることによって、行われる。この受部は、この滑り止め係合構造体に接続された、フランジまたはフランジの群を備える。このフランジは、この滑り止め係合構造体の軸に対して垂直な面に対して、実質的に傾斜した部分を備える。回転される場合、このフランジの傾斜した部分は、隣接する表底の材料を押し付け、回転に抵抗する。このフランジの傾斜は、本発明の特定の実施形態における少なくとも約５°から、本発明の他の実施形態における少なくとも約２０°までの範囲であり得る。
【００１１】
図１は、本発明の実施形態による滑り止め受部１００を示す。滑り止め係合構造体１１０が、この受部の中心に提供される。この滑り止め係合構造体は、軸１４０を規定し、この軸の周りで、滑り止めが、挿入されるかまたは取り外される場合に、回転される。フランジ１２０が、滑り止め係合構造体１１０を囲む。フランジ１２０は、このフランジの少なくとも一部が、軸１４０に対して垂直な任意の面に対して実質的に傾斜するように、形成される。受部１００が靴の表底に嵌められ、そして回転される場合、この靴の表底の、傾斜したフランジ部分に隣接する部分が、この受部に圧力を付与し、そして回転に抵抗する。本発明の特定の実施形態において、フランジの部分の傾斜は、それぞれ、５°を超え、１０°を超え、１５°を超え、そして２０°を超える。本発明の特定の実施形態において、フランジ１２０は、靴の表底に受部を設置するためのスロット１３０を備え得る。この受部の設置は、当該分野において公知の方法により、そしてスロットの周囲の靴底材料を形作ることを包含し得るか、またはスロットを表底に打ち付け、次いで受部の周囲の材料（フランジを含む）を形作ることによる。図２は、図１の受部の側面図を示す。
【００１２】
本発明のさらなる実施形態において、フランジ１２０は、２つの傾斜した部分を備え、これらの傾斜の少なくとも１つの成分の符号は、これらの部分の間で変化する。この実施形態は、フランジにおける波形を備える。本発明のさらなる実施形態において、フランジにおける波形は、険しい傾斜の変化を備え得る。例えば、このフランジは、１つ以上の段状の移行部を備え得、その傾斜は、短い距離にわたって急激に変化する。これらの移行部に続いて、反転した移行部が、このフランジの短い距離のうちに存在し得る。これは、段を上がり、次いで段を下がる移行部である。あるいは、このフランジは、「階段」の段のセットを備え得る。第一の移行部を反映するか、または異なるパターンの傾斜領域を有する、反転した移行部が提供され得る。フランジの傾斜の移行部のこのような全てのパターンが、本発明の範囲内にある。
【００１３】
本発明のさらなる実施形態において、先行する実施形態のいずれにおいても、フランジは、そのフランジの外周部が円形ではないような形状にされ得る。フランジの、円形ではない形状は、表底材料を、フランジの外周部の周りの部分に嵌め、これによって、滑り止めが受部に挿入されるかまたは受部から取り外される場合に、受部の回転に抵抗する。
【００１４】
本発明のさらなる実施形態において、先行する実施形態のいずれにおいても、フランジは、その外周部に、円形の屈曲部を有し得る。このような円形の屈曲部は、受部が回転し始める場合に、表底材料の切断を減少させるように働く。
【００１５】
本発明の他の実施形態において、本発明の先行する実施形態のいずれにおいても、１つ以上の突出部が、フランジに取り付けられて、受部の回転をさらに遅れさせ得る。これらの突出部は、滑り止め係合構造体の軸に対して平行であり得る。あるいは、各突出部は、滑り止め係合構造体の軸に対して、任意の角度で個々に傾き得る。
【００１６】
この受部の滑り止め係合構造体は、対応する滑り止めと嵌合するために適切な、任意の形状のものであり得る。取り付け構造体は、ＭａｃＮｅｉｌｌ  Ｅｎｇｉｎｅｅｒｉｎｇ，Ｉｎｃ．によって販売されるＱ−ＬＯＫＴＭシステム（米国特許第５，７６８，８０９号、同第６，１５１，８０５号、同第６，１０８，９４４号、および同第６，４６３，６１８号に記載されるような）、ＭａｃＮｅｉｌｌ  Ｅｎｇｉｎｅｅｒｉｎｇ，Ｉｎｃ．によってまた販売されるＴＲＩ−ＬＯＫＴＭシステム、Ｓｏｆｔｓｐｉｋｅｓ，Ｉｎｃ．によって販売されるＦａｓｔ  ＴｗｉｓｔＴＭシステム（米国特許第５，１２３，１８４号、同第５，５２４，３６７号、同第５，９７４，７００号、および同第６，２７２，７７４号に記載されるような）、外周部をねじ切りされた構造体、または受部に取り付けられ得る他の任意の構造体に、適合し得る。上述の特許の各々は、本明細書中に参考として援用される。
【００１７】
静止摩擦要素（例えば、滑り止め）のための受部が靴の表底に取り付けられ得る、好ましい実施形態が記載されたが、このような受部の使用は、静止摩擦要素を靴に取り付けることには限定されず、一般に、１つの機械的構造体を別の機械的構造体に取り付けることを必要とする他の用途において回転可能に取り付け可能な要素のための、回転抵抗受部として使用され得る。同様に、もちろん、本発明は、上に記載された詳細な説明に限定されないことが明らかである。記載されるような本発明の種々の変更および改変は、添付の特許請求の範囲に規定されるような本発明の精神および範囲から逸脱することなく、当業者に明らかである。
【図面の簡単な説明】
【００１８】
【図１】図１は、本発明の実施形態による、靴用の滑り止め受部を示す。
【図２】図２は、図１の滑り止め受部の側面図を示す。
【図１】
2008505719.tif 000003
【図２】
2008505719.tif 000004
【国際調査報告】
2008505719.tif 000005
2008505719.tif 000006
2008505719.tif 000007